(57)【要約】      （修正有）【課題】耐久年数が長く、水着の着用時、並びにスイミング中に水着の肩掛が、よれることのない水着の肩掛を提供する。また、水着の肩掛は、水着の着用時において肌あたりが良く、フィット感があり、構造が簡単で水着の製造コストが大幅にコストダウンすることの可能な水着の肩掛を提供する。【解決手段】水着本体を構成する一枚、或いは二枚の生地と熱圧着シートを熱圧着して生地と熱圧着シート６から成る一層、或いは三層の肩掛シートを構成し、該複層からなる肩掛シートを水着肩掛部分の幅に裁ってテープ形状となし、該テープの裁ち部を裁ちっぱなしのままで水着の肩掛３に用いる。【選択図】図４
0003139029.tif 000002
【実用新案登録請求の範囲】
【請求項１】
水着本体を構成する一枚の生地に熱圧着シートを熱圧着して一枚の生地と熱圧着シートから成る二層の肩掛シートを構成し、該二層の肩掛シートを水着肩掛部分の幅に裁ってテープ形状となし、該テープの裁ち部を裁ちっぱなしのままで水着の肩掛部位に用いること、
を特徴とする水着の肩掛部。
【請求項２】
水着本体を構成する二枚の生地の間に熱圧着シートを挟んで熱圧着して二枚の生地と熱圧着シートから成る三層の肩掛シートを構成し、該三層の肩掛シートを水着肩掛部分の幅に裁ってテープ形状となし、テープ紐の裁ち部を裁ちっぱなしのままで水着の肩掛部位に用いること、
を特徴とする水着の肩掛部。
【請求項３】
前記水着本体を構成する一枚、又は二枚の生地は伸縮性を有した生地であること、
を特徴とする請求項１、または請求項２の何れかに記載された水着の肩掛部。
【考案の詳細な説明】
【技術分野】
【０００１】
本考案は、水着の肩掛部の構造に関するものである。
【０００２】
水着の肩掛部は、繰り返して着用されると経年変化にてよれてしまったり、水着の着用時、並びにスイミング中に身体の動きや水圧にて水着の肩掛部が、縦方向や横方向によれることのない肩掛部が求められており、また、肩掛部は水着の着用時においては肌あたりが良く、フィット感の良いものが求められている。
【０００３】
斯くして、本考案は、耐久年数が長く、水着の着用時、並びにスイミング中に水着の肩掛部が、よれない水着の肩掛部を提供するものであり、該肩掛部は、水着の着用時において肌あたりが良く、また、フィット感が良いばかりでなく、構造が簡単で水着の製造コストが大幅にコストダウンできる水着の肩掛部を提供するものである。
【背景技術】
【０００４】
水着の肩掛部、所謂、水着の肩紐部分に集中した考察や研究は、従来、あまりなされていない。
然しながら、水着の肩掛部分において、肩掛部の構成や構造の良し悪しは、当該水着の着用者の身体的、そして心理的負担を増減させ、水着全体の着心地に大きな影響をおよぼすものである。
【０００５】
従来の水着において、肩掛部分は、繰り返して着用されると経年変化にて、よれてしまったり、水着の着用時やスイミング中に身体の動きや水圧にて水着の肩掛部が、縦方向や横方向によれるといった構造的な欠点があり、このことは、水着の着用者にとって身体的、そして心理的に大きな負担となる要因を有している。
【０００６】
また、従来の水着における肩掛部分は、水着本体を構成する生地とゴムシートを縫製し、次いで生地とゴムシート部を二重折りとなして、ゴムシートを包み込んだ状態の両端縁部を有しており、該両端縁部は凹凸の段差となり、肌あたりが悪く、フィット感の悪いもので、着用者に快適な着心地を提供するものではなかった。
【０００７】
而して、図１及び図２は、本考案が対象とする水着の肩掛部分を示す説明図であり、図１は水着の正面図、図２は水着の背面図を示している。
【０００８】
図１及び図２において、１は水着全体を示し、２は水着本体生地部、３は本考案の対象となる水着の肩掛部を示している。
【０００９】
次に、図５は、上述した課題を有する従来の水着における肩掛部分の断面形状を示すものであり、図５は、水着着用時の身体の肌面５０と肩掛５１との関係を略示図的に示した説明図である。
【００１０】
図５において、５２は肩掛５１を構成する生地、５３ａ、５３ｂはゴムシート、５４ａ、５４ｂは生地５２とゴムシート５３ａ、５３ｂの縫製部、５５ａ、５５ｂはゴムシート５３ａ、５３ｂをそれぞれ包み込んで縫製しテープ形状を形成する端部縫製部、５６は裏面の合せ縫製部である。
【００１１】
斯くして、前記図５に示す説明図は、水着着用時の身体の肌面５０と肩掛５１との関係を示しており、伸縮性の良いゴムシート５３ａ、５３ｂを芯材として用いて、該ゴムシート５３ａ、５３ｂをそれぞれ縫製により生地５２内に固着して肩掛５１の両端縁部を構成していることから、繰り返して着用されると両端縁部内のゴムシート５３ａ、５３ｂが経年変化にて収縮性が低下することにより、例えば、首側のゴムシート５３ａと腕側のゴムシート５３ｂとの収縮性の差が生じて縦方向のずれ（よれ）がおき水着の肩掛５１が縦方向によれてしまう欠点があった。
【００１２】
また、上記従来例の肩掛５１は、水着本体を構成する生地５２とゴムシート５３ａ、５３ｂを縫製し、次いで生地５２とゴムシート５３ａ、５３ｂを二重折りとなして縫製しているため、ゴムシート５３ａ、５３ｂを包み込んだ状態の両端縁部を形成してしまい、該両端縁部はゴムシート５３ａ、５３ｂと縫製部５４ａ、５４ｂ、凹部５６等が凹を構成して、該凹部の存在により横方向の歪み（よれ）がおきて水着の肩掛５１が横方向によれてしまう欠点があった。
【００１３】
更に、上記従来例においては、縫製部５４ａ、５４ｂや、端部縫製部５５ａ、５５ｂ、裏面の合せ凹部５６等がほつれてゴムシート５３ａ、５３ｂと肩掛５１を構成する生地５２の固着が部分的に離れてしまうという欠点も生じている。
【００１４】
従って、図５に示す従来例の肩掛５１は、水着の着用時やスイミング中に身体の動きや水圧にて水着の肩掛５１が、縦方向や横方向によれるといった構造的な欠点となり、このことは、水着の着用者にとっては身体的、そして心理的に大きな負担となる要因を有していることになる。
【００１５】
また、図５に示す従来例の肩掛５１は、水着本体を構成する生地５２とゴムシート５３ａ、５３ｂを縫製し、次いで生地５２とゴムシート５３ａ、５３ｂを二重折りとなして縫製しているため、ゴムシート５３ａ、５３ｂを包み込んだ状態の両端縁部を形成してしまい、該両端縁部はゴムシート５３ａ、５３ｂと縫製部５４ａ、５４ｂ、合せ縫製部５６等が凹凸の段差となり、肌面５０に対してデコボコ面で当接することとになり、肌あたりが悪く、フィット感の良くないものに構成されており水着の着用者に快適な着心地を提供するものではなかった。
【００１６】
而して、従来の水着や下着等において、水着や衣類の端縁部の構造に関しては、薄く滑らかでフィット性の高い水着や衣類の端縁部の構造を提供することを目的に、特開平１１−５０３１０号公報（以下、実用新案登録引用文献１と称する）や、特開２００７−２１１３６９号公報（以下、実用新案登録引用２と称する）が開示されている。
【００１７】
図６は、実用新案登録引用文献１、並びに実用新案登録引用文献２において示された水着や衣類の端縁部構造例を図１及び図２の水着肩掛部分にあてはめて、水着着用時における身体の肌面５０と肩掛５１との関係を略示図的に示した説明図である。
【００１８】
図６において、５１は肩掛、５２は肩掛５１を構成する生地、５７ａ、５７ｂは引用文献１における天然ゴムや合成ゴム等からなる帯状弾性体や、引用文献２における接着樹脂テープから成る芯材であり、前記生地５２は、帯状弾性体から成る芯材５７ａ、５７ｂ、または、接着樹脂テープから成る芯材５７ａ、５７ｂを包み込んでヒートプレス接着加工をしたり、ホットメルト接着剤にて固着加工をしており、縫製工程を有していない。
【００１９】
従って、図６にて図示した実用新案登録引用文献１、並びに実用新案登録引用文献２の水着や衣類の端縁部構造例においては、縫製部分が無くなり、その構造も薄く平帯形状に製造することが可能となって、フィット感の悪さは、いくぶん解消されたが、両縁部に固着された芯材５７ａ、５７ｂは左右に分割された形状であり、繰り返して着用されると経年変化にてどちらか一方の芯材が延びきってしまい例えば、首側の芯材５７ａと腕側の芯材５７ｂとの収縮性の差が生じて縦方向のずれ（よれ）がおき水着の肩掛５１が縦方向によれてしまう欠点があった。
【００２０】
また、上記図６にて図示した実用新案登録引用文献１、並びに実用新案登録引用文献２は、水着本体を構成する生地５２と芯材５７ａ、５ｂを接着剤にて固着加工し、生地５２にて芯材５７ａ、５７ｂを包み込んだ状態で両端縁部を形成しており、該両端縁部は芯材５７ａ、５ｂにて凹部５９を構成してしまい、該凹部５９の存在により横方向の歪み（よれ）がおきて水着の肩掛５１が横方向によれてしまう欠点があった。
【００２１】
更に、上記実用新案登録引用文献１、並びに実用新案登録引用文献２の水着や衣類の端縁部構造例においては、縫製により生じる凹凸が無くなり、薄い平板形状とすることが可能であるが、弾性体や接着樹脂テープから成る芯材５７ａ、５７ｂは、当接する肌面５０に対して、凸部５８、５８を形成してしまい、また、端縁部を構成する芯材５７ａ、５７ｂ間の間隙は、凹部５９を形成してしまうので、肌面５０に対しては、依然として凹凸面で当接することとなり、肌あたりが悪くフィット性の高い肩掛５１を提供して水着の着用者に快適な着心地を提供するものではなかった。
【００２２】
そして、図６にて図示した実用新案登録引用文献１、並びに実用新案引用文献２の水着や衣類の端縁部構造例においては、衿ぐり部、脇ぐり部、背ぐり部、そして、足回り部等複雑に裁断された端縁部の連続加工を目的としており、ヒートプレス接着や、ホットメルト接着の専用加工機械は高価で、加工技術も高度となり、当面のコストダウンには直ぐに繋がらない等の欠点を有している。
【００２３】
［実用新案登録引用文献１］特開平１１−５０３１０号公報
［実用新案登録引用文献２］特開２００７−２１１３６９号公報
【考案の開示】
【考案が解決しようとする課題】
【００２４】
本考案において、解決しようとする課題は、水着の肩掛部（肩紐部）において、繰り返して水着を着用されると、該水着の肩掛部が経年変化にてよれてしまったり、水着の着用時、並びにスイミング中にも縦方向のよれや、横方向のよれが生じない水着の肩掛部を提供することにある。
【００２５】
また、水着の肩掛部は、水着の着用時において肌あたりが良く、また、フィット感が良いばかりでなく、構造が簡単で水着の製造コストが大幅にコストダウンすることの可能な水着の肩掛部を提供するものである。
【課題を解決するための手段】
【００２６】
本考案は、水着本体を構成する一枚の生地に熱圧着シートを熱圧着して一枚の生地と熱圧着シートから成る二層の肩掛シートを構成し、該二層の肩掛シートを水着肩掛部分の幅に裁ってテープ形状となし、該テープの裁ち部を裁ちっぱなしのままで水着の肩掛部位に用いたことを特徴とする。
【００２７】
また、本考案は、水着本体を構成する二枚の生地の間に熱圧着シートを挟んで熱圧着して二枚の生地と熱圧着シートから成る三層の肩掛シートを構成し、該三層の肩掛シートを水着肩掛部分の幅に裁ってテープ形状となし、該テープの裁ち部を裁ちっぱなしのままで水着の肩掛部位に用いたことをも、主要な特徴とする。
【００２８】
更に、本考案において、水着本体を構成する一枚、又は二枚の生地は、伸縮性を有した生地であることを特徴としている。
【考案の効果】
【００２９】
斯くして、本考案は、全体が均一な二層、三層の肩掛シートを構成し、該複層の肩掛シートを水着肩掛部分の幅に裁ってテープ形状となし、該テープの裁ち部を裁ちっぱなしのままで水着の肩掛部位に用いたことにより、耐久年数が長く、水着の着用時、並びにスイミング中に水着の肩掛に縦方向のよれや、横方向のよれが生じない水着の肩掛を提供することができた。
【００３０】
また、本考案における水着の肩掛は、水着の着用時において肌あたりやフィット感が良いばかりでなく、構造が簡単で水着の製造コストを大幅にコストダウンすることの可能な水着の肩掛を提供することができた。
【考案を実施するための最良の形態】
【００３１】
本考案は、大きく二つの実施例からなる。実施例１の構成は、水着の肩掛構造において、水着本体を構成する一枚の生地の表面に熱圧着シートを熱圧着して一枚の生地と熱圧着シートから成る二層の肩掛シートを構成し、該二層の肩掛シートを水着肩掛部分の幅に裁ってテープ形状となし、該テープの裁ち部を裁ちっぱなしのままで水着の肩掛部位に用いた構成を有している。
【００３２】
また、実施例２の構成は、水着本体を構成する二枚の生地の間に熱圧着シートを挟んで熱圧着して二枚の生地と熱圧着シートから成る三層の肩掛シートを構成し、該三層の肩掛シートを水着肩掛部分の幅に裁ってテープ形状となし、該テープの裁ち部を裁ちっぱなしのままで水着の肩掛部位に用いた構成を有している。
【００３３】
そして、上述した実施例１、並びに実施例２に用いられ水着本体を構成する一枚、または二枚の生地は、伸縮性を有したポリエステルとポリウレタンの混合生地、または、ポリエステルにストレッチ加工を施した生地、或いはポリエステルの代わりにナイロン生地を用いたものであることが好ましい。
【００３４】
更に、実施例１、並びに実施例２に用いられる熱圧着シートとは、加熱して圧着することにより、前記一枚、或いは二枚の生地を接着して一体化可能な粘着シートであり、該粘着シートはシート自体が熱圧着シートを形成しているものや、シートと一枚、或いは二枚の生地間にホットメルト系の接着層を任意に介在せしめることにより、一枚生地と熱圧着シートから成る二層の肩掛シートを構成したり、二枚の生地で熱圧着シートを挟んで三層の肩掛シートを構成している。
【００３５】
而して、上記肩掛シートは、幅広の布地形状に製造された二層、或いは三層のシートを形成しており、本考案の水着用肩掛部は前記布地形状に製造された二層、或いは三層の幅広シートを適宜幅に裁ってテープ状となして、水着本体に縫着して、肩掛部を有する水着として完成させる。
【００３６】
尚、図１及び図２は、本考案の実施例１及び実施例２が対象とする水着の肩掛部分を示す説明図であり、図１は水着の正面図、図２は水着の背面図を示している。
【００３７】
そして、図１及び図２において、１は水着全体を示し、２は水着本体生地部、３は本考案の対象となる水着の肩掛を示している。
【実施例１】
【００３８】
図３は、本考案の実施例１を示す斜視説明図であり、図１及び図２において示された水着の肩掛部分の構造と、水着の着用時における肩掛３と身体の肌面４との関係を略示図的な断面形状にて示している。
【００３９】
図３において、３は水着の肩掛、５ｂは肩掛を構成する水着本体生地と同じ構成の生地、６は熱圧着シート、４は前記生地５ｂが当接する身体の肌面４をそれぞれ示している。
【００４０】
而して、本考案は、水着本体を構成する一枚の生地と同じ生地５ｂの表面に熱圧着シート６を熱圧着して一枚の生地５ｂと熱圧着シート６から成る二層の肩掛シートを構成し、該二層の肩掛シートを水着肩掛部分の幅に裁ってテープ形状となし、該テープの裁ち部を裁ちっぱなしのままで水着の肩掛３を構成した。
【００４１】
従って、水着の着用者の肌面４に当接される生地面７は、水着肩掛部分の幅を有した帯状平面であり、従来の肩掛に比較して凹凸のない滑らかな肩掛３であり、水着の着用時において肌あたりが良く、また、フィット感が非常に良い。
【００４２】
また、実施例１における水着の肩掛３は、一枚の生地５ｂと熱圧着シート６が接着されて二層の肩掛３を形成しており、該肩掛３は全体に均一材質による複層材にて薄肉に構成可能であることから、繰り返して着用されても経年変化にて一部がよれてしまったり、水着の着用時、並びにスイミング中に身体の動きや水圧よって水着の肩紐が縦方向にずれたり、横方向に歪んでよれることのない肩掛３を提供することができた。
【００４３】
そして、本考案の水着の肩掛３は、構成や製造工程が簡単で、水着の製造コストを大幅にコストダウンすることの可能な水着の肩掛３を提供するものである。
【実施例２】
【００４４】
図４は、本考案の実施例２を示す斜視説明図であり、図１及び図２に於いて示された水着の肩掛３の構造と、水着着用時における肩掛３と身体の肌面４との関係を略示図的な断面形状にて示している。
【００４５】
図４において、３は水着の肩掛、５ａ、５ｂは肩掛を構成する水着本体生地と同じ構成の生地、６は熱圧着シート、４は前記生地５ｂが当接する身体の肌面をそれぞれ示している。
【００４６】
而して、本考案は、水着本体を構成する生地と同じ二枚の生地５ａ、５ｂの中間に熱圧着シート６を挟んで熱圧着して、二枚の生地５ａ、５ｂと熱圧着シート６から成る三層の肩掛シートを構成し、該三層の肩掛シートを水着肩掛部分の幅に裁ってテープ形状となし、該テープの裁ち部を裁ちっぱなしのままで水着の肩掛３を構成した。
【００４７】
従って、水着の着用者の肌面４に当接される生地面７は水着肩掛部分の幅を有した帯状平面であり、従来の肩掛に比較して凹凸のない滑らかな肩肩掛３であり、水着の着用時において肌あたりが良く、また、フィット感が非常に良い。
【００４８】
また、実施例２における水着の肩掛３は、二枚の生地５ａ、５ｂと熱圧着シート６が接着されて三層の肩掛３を形成しており、該肩掛３は全体に均一材質による複層材にて薄肉に構成可能であることから、繰り返して着用されても経年変化にて一部がよれてしまったり、水着の着用時、並びにスイミング中に身体の動きや水圧よって水着の肩掛３が縦方向にずれたり、横方向に歪んでよれることのない肩掛３を提供することができた。
【００４９】
そして、本考案の実施例２の肩掛３は、構成や製造工程が簡単で、水着の製造コストを大幅にコストダウンすることの可能な水着の肩掛３を提供するものである。
【００５０】
斯くして、本考案における水着の肩掛部構造は、熱圧着により布地形状に製造された二層、或いは三層の均一材質、均一厚の幅広シートを適宜幅に裁ってテープ状となして、水着本体に縫着して、肩掛部を有する水着として完成させるものであり、従来の肩掛部の如くゴムシートや芯材による両縁部の凹凸部分がなくなり、両縁部に固着されたゴムシートや芯材が形成する凹凸部が繰り返して着用されると経年変化にてどちらか一方のゴムシートや芯材が延びきって収縮性の差が生じて縦方向のずれ（よれ）がおき水着の肩掛が縦方向によれてしまう欠点を解消するものである。
【００５１】
また、従来の水着や衣服の肩掛け部は、水着や衣服本体を構成する生地とゴムシートや芯材を縫製や接着剤にて固着加工し、生地にてゴムシートや芯材を包み込んだ状態で両端縁部を形成しており、該両端縁部はゴムシートや芯材にて凹部を構成してしまうので、該凹部の存在により横方向の歪み（よれ）がおきて水着の肩掛が横方向によれてしまう欠点を解消するものである。
【００５２】
従って、本考案は、水着の肩掛部において、繰り返して水着を着用されると、該水着の肩掛部が経年変化にてよれてしまったり、水着の着用時、並びにスイミング中にも縦方向のよれや、横方向のよれが生じない水着の肩掛部を提供することができた。
【産業上の利用可能性】
【００５３】
而して、本考案は、水着本体を構成する一枚、或いは二枚の生地と熱圧着シートを熱圧着して生地と熱圧着シートから成る二層、或いは三層の肩掛シートを構成し、該複層からなる肩掛シートを水着肩掛部分の幅に裁ってテープ形状となし、該テープ形状と成したの裁ち部を裁ちっぱなしのままで水着の肩掛に用いるもので、水着の製造コストを大幅にコストダウンすることが可能で、産業上極めて有益で、その利用価値は多大なものがある。
【図面の簡単な説明】
【００５４】
【図１】本考案における水着の肩掛部位を説明する正面図である。
【図２】本考案における水着の肩掛部位を説明する背面図である。
【図３】本考案の実施例１を説明する斜視説明図である。
【図４】本考案の実施例２を説明する斜視説明図である、
【図５】本考案に関連する従来例を説明する斜視説明図である。
【図６】本考案に関連する従来例を説明する斜視説明図である。
【符号の説明】
【００５５】
１  水着全体  
２  水着本体生地部
３  肩掛
４  身体の肌面
５ａ、５ｂ  生地
６  熱圧着シート
７  生地面
５０  身体の肌面
５１  肩掛（従来例）
５２  生地
５３ａ、５３ｂ  ゴムシート
５４ａ、５４ｂ  縫製部
５５ａ、５５ｂ  端部縫製部
５６  凹部
５７ａ、５７ｂ  芯材
５８  凸部
５９  凹部
【図２】
0003139029.tif 000003
【図３】
0003139029.tif 000004
【図４】
0003139029.tif 000005
【図５】
0003139029.tif 000006
【図６】
0003139029.tif 000007
【図１】
0003139029.tif 000008